(57)【要約】      （修正有）【課題】ブラシレス・モーター磁石回転子と回転軸心のブラケットは連体構造を設け、弾性ゴム部材により内ブラケット、外ブラケットを連結し、その間に異なる材質のゴム部材を挟んでおき、モーターが無段変速制御するとき、構造体の共振による騒音をなくす。【解決手段】回転子ブラケットと軸心ブラケットとの間に、軟性ゴム部材を射出成型により連体構造を形成し、振動騒音を軸心に伝えないことで、省エネと低騒音を実現する。 【選択図】図1
0003120484.tif 000002
【実用新案登録請求の範囲】
【請求項１】
ブラシレス・モータ内部に回転子、ブラケットおよび軸心部材を設け、ブラシレス・モータ内部の無段変速制御回転子と軸心との間に、剛性の回転子ブラケットと軸心ブラケットにより支持、組み合わせおく、二つのブラケット間にゴム部材により連結し、回転子とブラケットを安全に支持し、回転子と軸心を安全に支持および結合することにより、回転操作の目的を実現することを特徴とする一種のブラシレス・モーター磁石回転子の改良構造。
【請求項２】
その回転子とブラケットの内周面と軸心ブラケットの外周面に、間隔を設けて溝または突き出すワッシャーを設けて、ゴム部材の射出成型の結合をより安定できることを特徴とする請求項1記載のブラシレス・モーター磁石回転子の改良構造。
【考案の詳細な説明】
【技術分野】
【０００１】
本考案はブラシレス・モーター磁石回転子の改良構造、特に一種のブラシレス・モーター磁石回転子と回転軸心のブラケットは連体構造を設け、弾性ゴム部材により内ブラケット、外ブラケットを連結し、その間に異なる材質のゴム部材を挟んでおき、モーターが無段変速制御するとき、構造体の共振による騒音をなくし、ブラシレス・モータ無段変速制御の静音目的と効果を実現する。
【背景技術】
【０００２】
図５〜７は、公知技術のブラシレス・モータの回転機構である。ブラシレス・モータ全体の構造体は、剛性の金属製回転子２０は酸化鉄材を用いて、中央部に硬質のブラケット２１によって支えられ、モーター回転軸心２２をその回転子ブラケット２１の中心孔を貫通し、完全な固定架台支持構造を構成し、回転子２０とブラケット２１の間に、磁気効果による反発と連結働きにより、軸心２２を回転させ、モーター起動後、磁気の引合い、反発を連続に行い、寸動の回転制御設計により、ブラケット２１と回転子２０間の振動による騒音は、同じ金属製の剛性ブラケット２１より軸心２２に伝え、さらに軸心２２の回転により外部に伝えて、回転音を形成する。
【０００３】
さらに、モーター起動後固定機構はモーターの振動により、相互に共振を引起す。ブラシレス・モータの無段変速における回転速度の振動周波数が構造体の振動周波数に一致したとき、両者は共振を引起すほか、振動周波数の相乗効果により、大きい騒音を出すことがある。この点は、騒音が大きくなったりして、小さくなったりする原因である。このような振動による騒音を解決するため、業界は共振周期を避けるため、モーターの使用回転速度に制限が付けられている。しかしながら、このような制限はブラシレス・モータの任意回転速度の特性が大幅に制限される。よって、回転振動による騒音を軽減することは、業界の開発、改良の目標である。
【考案の開示】
【考案が解決しようとする課題】
【０００４】
本考案人はブラシレス・モータの使用における騒音および回転共振音の課題を解決するため、長年にわたるブラシレス・モータの製造、研究、改良経験に基づいて、試験と改良を繰返した結果、本考案のブラシレス・モーター磁石回転子の改良構造機構に、ブラシレス・モータ回転子と軸心ブラケットの間に、軟性の振動吸収効果を有するゴム部材を射出成型により連体構造に設け、回転子とブラケット間で生成する回転騒音を軸心に伝達することなく、モーター使用による伝達騒音の悩みと欠点を解決できる。
【課題を解決するための手段】
【０００５】
本考案の目的は、回転子ブラケットと軸心ブラケットとの間に、軟性ゴム部材を射出成型により連体構造に設け、回転子ブラケットと軸心ブラケットとの間に形成する振動騒音は軸心に伝えることなく、ブラシレス・モータ無段変速制御による騒音を軽減し、省エネーと低騒音の使用目的を実現する。
【考案の効果】
【０００６】
本考案のブラシレス・モータ回転子１０構造改良の最大の特徴は、回転子ブラケット１２と軸心ブラケット１３の間に、軟性材質のゴム部材１４を射出成型により連体構造に設け、回転子１０の回転による共振騒音は回転子ブラケット１２に伝達したとき、連結するゴム部材１４の軟質弾性材質によって、すべて取り消され、回転の軸心１１により外部に伝えることなく、ブラシレス・モータケースまたは固定機構による共振の相乗効果による騒音も発生しない。回転中の振動を防止し、実用安全の使用効果を実現し、公知技術のブラシレス・モータが稼動の相対周波数による騒音の欠点を確実に改善し、使用の便利を提供する。さらに、本考案は回転子１０と軸心１１との組み立てはゴム製弾性部材の構造を採用することにより、モーターの寸動回転により、構造体との共振による騒音を軽減し、ブラシレス・モータの無段変速制御の安静、実用効果を実現できるため、ブラシレス・モータ回転制御構造設計の大きな改良と言える。
【考案を実施するための最良の形態】
【０００７】
本考案のブラシレス・モータ磁石回転子の改良構造は、無段変速制御の回転子１０と軸心１１の間に、剛性回転子ブラケット１２、軸心ブラケット１３、回転子１０、軸心１１と組み合わせ、回転子ブラケット１２と軸心ブラケット１３の間に、ゴム部材１４の射出成型により二つの剛性架台を連体構造に設け、回転子１０および軸心１１を安全に支持および連結させ、回転操作の目的を実現する。二つの架台とゴム部材１４連結の安定性を図るため、回転子ブラケット１２の内周面と軸心ブラケット１３の外周面に、間隔を設けて配列した溝または突き出すワッシャー１５を設ける（図４）。金型に挿入して射出成型するとき、ゴム部材１４との間に良好な連結性を維持し、回転連結するときの安定と安全を確保する。
【図面の簡単な説明】
【０００８】
【図１】本考案ブラシレス・モータ回転子構造の立体組み合わせ断面図である。
【図２】本考案ブラシレス・モータ回転子構造の組み合わせ平面参考図である。
【図３】本考案ブラシレス・モータ組み立て実施例の概略図である。
【図４】本考案ブラシレス・モータブラケット射出成型側面視参考図である。
【図５】公知技術のブラシレス・モータ構造の立体組み合わせ断面図である。
【図６】公知技術のブラシレス・モータ回転子構造の組み合わせ平面参考図である。
【図７】公知技術のブラシレス・モータ組み立て実施例の概略図である。
【図８】異なる回転速度において、公知技術のブラシレス・モータ回転子機構による騒音と本考案のブラシレス・モータ機構による騒音との比較表。
【図９】異なる回転速度において、公知技術のブラシレス・モータ回転子機構による振動と本考案のブラシレス・モータ機構による振動との比較表。
【符号の説明】
【０００９】
１０       回転子
１１       軸心
１２       回転子ブラケット
１３       軸心ブラケット
１４       ゴム部材
１５       ワッシャー
２０       回転子
２１       ブラケット
２２       軸心
【図１】
0003120484.tif 000003
【図２】
0003120484.tif 000004
【図３】
0003120484.tif 000005
【図４】
0003120484.tif 000006
【図５】
0003120484.tif 000007
【図６】
0003120484.tif 000008
【図７】
0003120484.tif 000009
【図８】
0003120484.tif 000010
【図９】
0003120484.tif 000011